(57)【要約】【課題】現場等における吊下げ作業が片手で可能である等極めて容易である動力工具、及びその吊下げ具を提供する。【解決手段】動力工具の一例としてのインパクトレンチ１のハウジング２の下部に、グリップ２ａが形成されており、そのグリップ２ａの延長方向とハウジング２の上部の交差部位において、吊下げ用のリング４を起倒自在に且つ起立姿勢で維持可能に保持するリング保持部材としてのブラケット６が設けられている。リング４とブラケット６により、吊下げ具１０が構成される。【選択図】図１
2013059837.tif 000002
【特許請求の範囲】
【請求項１】
下部にグリップを有するハウジングの上部に、吊下げ用のリングを起倒自在に且つ起立姿勢で維持可能に保持するリング保持部が設けられている
ことを特徴とする動力工具。
【請求項２】
前記リング保持部における、前記リングとの接触部位に、弾性体が配置されている
ことを特徴とする請求項１に記載の動力工具。
【請求項３】
前記リング保持部は、前記ハウジングに、外方へ突出する状態で設けられている
ことを特徴とする請求項１又は請求項２に記載の動力工具。
【請求項４】
前記リング保持部は、前記ハウジングと別体のリング保持部材であり、
当該リング保持部材は、前記ハウジングで使用される固定部材により取付けられている
ことを特徴とする請求項１ないし請求項３の何れかに記載の動力工具。
【請求項５】
吊下げ用のリングと、
当該リングを起倒自在に且つ起立姿勢で維持可能に保持するリング保持部材と
を備えたことを特徴とする動力工具の吊下げ具。
【発明の詳細な説明】
【技術分野】
【０００１】
本発明は、電動工具やエア工具等の動力工具、及びその吊下げ具に関する。
【背景技術】
【０００２】
動力工具において、下記特許文献１に示されるような吊下げ装置を具備するものが知られている。吊下げ装置は、剛性金属ワイヤから作られたヨーク、及びこれに通された走行ループを有している。ヨークの一端は、工具ハウジングの円筒形部分を包囲する環状ループとなっており、ヨークの他端は、工具ハウジング後端壁の軸受に接続されている。
【先行技術文献】
【特許文献】
【０００３】
【特許文献１】特開平１−１９３１８３号公報
【発明の概要】
【発明が解決しようとする課題】
【０００４】
このような吊下げ装置を有する動力工具では、環状ループと軸受によってヨークが回転するため、ヨークは自立しない。又、走行ループはヨークに通されるのみであるため、走行ループも自立しない。従って、ヨークや走行ループを現場のフックに掛ける際、ヨークや走行ループを起立するように支えつつフックを持たなければならず、工具の吊下げ作業において両手を要することとなり、煩わしい。
【０００５】
又、工具ハウジングに対して金属製のヨークの環状ループが接触しており、ヨーク回転時等に比較的大きな接触音を発して、吊下げ作業時等に耳障りに感じることがある。更に、ヨークと走行ループにおいても、同様に接触音を発することがありうる。
加えて、ヨークは、自立しない状態で工具ハウジングに取付けられるため、ヨーク側からの力を支えることができず、衝撃等から保護する機能を備えているとはいえない。そして、このことは、走行ループにおいても同様である。
【０００６】
そこで、本発明は、現場等における吊下げ作業が片手で可能である等極めて容易である動力工具、及びその吊下げ具を提供することを主な目的とするものである。
【課題を解決するための手段】
【０００７】
上記目的を達成するために、請求項１に記載の発明は、動力工具において、下部にグリップを有するハウジングの上部に、吊下げ用のリングを起倒自在に且つ起立姿勢で維持可能に保持するリング保持部が設けられていることを特徴とするものである。
請求項２に記載の発明は、上記発明において、前記リング保持部における、前記リングとの接触部位に、弾性体が配置されていることを特徴とするものである。
請求項３に記載の発明は、上記発明において、前記リング保持部は、前記ハウジングに、外方へ突出する状態で設けられていることを特徴とするものである。
請求項４に記載の発明は、上記発明において、前記リング保持部は、前記ハウジングと別体のリング保持部材であり、当該リング保持部材は、前記ハウジングで使用される固定部材により取付けられていることを特徴とするものである。
請求項５に記載の発明は、動力工具の吊下げ具において、吊下げ用のリングと、当該リングを起倒自在に且つ起立姿勢で維持可能に保持するリング保持部材とを備えたことを特徴とするものである。
【発明の効果】
【０００８】
本発明の内、請求項１に記載の発明によれば、リングを起倒自在且つ起立姿勢で維持可能に設けるため、現場等における吊下げ作業が片手で容易に行える動力工具を提供することができる。
又、請求項２に記載の発明によれば、上記効果に加え、製造コスト等が比較的安価であり、接触音を抑制可能である動力工具を提供することができる。
更に、請求項３に記載の発明によれば、上記効果に加え、衝撃等から保護する機能を具備する動力工具を提供することができる。
又更に、請求項４に記載の発明によれば、上記効果に加え、シンプルな構成で製造コスト等が安価である動力工具を提供することができる。
加えて、請求項５に記載の発明によれば、リングとリング保持部材を含むため、動力工具に対してリングを起倒自在且つ起立姿勢で維持可能に着脱自在とすることができ、動力工具におけるリング等の有無を簡単に選択して、様々な使用状況に容易に対応させることが可能となる動力工具用吊下げ具を提供することができる。
【図面の簡単な説明】
【０００９】
【図１】本発明に係るインパクトレンチの斜視図である。
【図２】図１の上部先側の一部分解拡大図である。
【図３】図２の一部拡大図である。
【発明を実施するための形態】
【００１０】
以下、本発明の実施の形態を図面に基づいて説明する。図１は動力工具の一例である充電式のインパクトレンチ１の斜視図、図２はその上部先側の一部分解拡大図である。インパクトレンチ１は、下部にグリップ２ａの形成されたハウジング２を備えている。ハウジング２の上部中央には、リング４及びブラケット６を含む吊下げ具１０が配置されている。
吊下げ具１０は、上下方向のグリップ２ａに係る上方への延長方向とハウジング２上部の交差部位である、ハウジング２上部中央に配置される。なお、ここでは、リング４及びブラケット６の一部が当該交差部位の一部に入るものとされているが、リング４及びブラケット６の一部が当該交差部位の全体を覆うようにして良いし、リング４あるいはブラケット６の全体が当該交差部位の内側に入るようにしても良い。
図３は吊下げ具１０の側面図である。リング４は、高所作業現場等におけるフックが入る大きさを有している。なお、リング４は、金属製である。
【００１１】
一方、リング保持部としてのブラケット６は、板状の部材であって、ハウジング２に対して起立する状態（ハウジング２から外方へ突出する状態）で、両端のネジ孔１１を介してネジ１２により取付けられている。ブラケット６は、ハウジング２とは別体であり、リング保持部材に該当する。
ネジ１２は、ハウジング２の基部２ｂ，２ｃに先部２ｄ，２ｅを取付けるためのもの（ハウジングで使用される固定部材）と共通となっている。なお、ブラケット６は、インパクトレンチ１の出力軸方向に対して垂直に配置されている。
【００１２】
ブラケット６の下辺（及び上辺）は、全体として、ブラケット６の取付部におけるハウジング２の外形に沿う形状となっている。又、ブラケット６の下辺の中央には、リング４を受入れる凹部１４が形成されている。
凹部１４は、リング４の断面に沿う形状をしており、ハウジング２との間においてリング４の軸を囲う。リング４は、凹部１４に受け入れられることで、真っ直ぐ起立した際、出力軸と平行である状態（リング４全体の中心軸方向と出力軸方向とが垂直である状態）となる。
凹部１４の外面には、リング４に対して摩擦係数の高い素材（ゴム製）を用いた面状の弾性体１６が配置されている。弾性体１６は、リング４と接触しており、ブラケット６は、弾性体１６によりリングとの接触部位を有している。又、弾性体１６は、ブラケット６の上辺（外面）に回り込んでいる。弾性体１６は、筒状に形成されており、弾性体１６と比べて高剛性である金属製で板状のベース１８を通されている。
【００１３】
リング４は、ブラケット６の凹部１４とハウジング２で囲まれているため、手等で動かすことで、起倒を自在に行うことができる。起倒の範囲は、リング４がブラケット６の一端（あるいはこれに隣接するハウジング２の部分）に接触する倒伏状態から、リング４がハウジング２より突出する起立状態を経て、リング４がブラケット６の他端（あるいはこれに隣接するハウジング２の部分）に接触する倒伏状態までとなる。
【００１４】
又、リング４は、凹部１４において、リング４外面に沿う弾性体１６と接触しているため、弾性体１６の弾性（静止摩擦力）の作用により、起立状態で静止可能となっている。換言すれば、ブラケット６は、凹部１４や弾性体１６により、リング４について、起倒自在に取付けながら、起立姿勢で維持させることが可能である。
リング４を倒伏姿勢にすれば、リング４がハウジング２あるいはブラケット６に沿うため、リング４が邪魔にならないし、リング４を起立姿勢で維持すると、インパクトレンチ１をグリップ２ａにおいて片手で自然に握ったまま、ハウジング２上部における（グリップ２ａの延長方向上の）リング４を現場のホイスト等のフックに引掛けることができ、引掛け作業（吊下げ作業）を極めて容易に行うことが可能となる。
【００１５】
更に、ブラケット６は、ベース１８に弾性体１６を通して形成されているため、強度十分にしながらリング４の姿勢維持をシンプルに実現することができるし、弾性体１６をリング４に接触させるので、リング４やブラケット６が保護され、又接触音の発生を防止することができる。
又更に、高剛性のブラケット６がハウジング２から突出しているため、ブラケット６側からの衝撃等からインパクトレンチ１を保護することができ、リング４のためのブラケット６にプロテクタの機能も付与することができる。なお、ブラケット６において弾性体１６が外側に配置されているため、衝撃を緩和してブラケット６や衝撃付与元をより一層適切に保護することができる。
【００１６】
加えて、ブラケット６は、ハウジング２の基部２ｂ，２ｃに先部２ｄ，２ｅを組み合わせるためのネジ１２を用いて取付けられているため、別途ネジを用意する必要がなく、効率の良い構成とすることができる。
又、ブラケット６がハウジング２から外方へ突出しているため、リング４保持用のブラケットにプロテクタの機能を併せて付与することができ、弾性体１６をブラケット６外側に配置しているため、ブラケット６やこれに衝突する物体を柔軟に受けることで十分に保護することができる。
【００１７】
更に、ブラケット６がハウジング２の基部２ｂ，２ｃと先部２ｄ，２ｅを組付けるネジで取付けられているので、部品点数をさほど増やすことなくブラケット６を設置することができる。
加えて、ブラケット６がハウジング２に装着可能な別体のものとされているため、不要な場合にブラケット６を綺麗に外すことができ、必要になった場合や製造時には簡単にブラケット６を設置することができる。
【００１８】
なお、本発明は上記形態に限定されず、次に示す変更例を有するものである。リングの全体形状や断面形状をそれぞれ円形以外の形状としたり、リングにスリットを入れたりする。リングの向きを、起立時に出力軸と直交する方向に沿うものとする。リングやブラケット等の材質を変更する。ブラケットにおける弾性体の配置を、外側に回り込まないもの等に変更する。固定部材として、ネジに代えて、あるいはネジと共に、ピンやリベット又はこれらの組合せを用いる。リング保持部としてのブラケットを、ハウジングと一体に形成する。即ち、ハウジングに、リング保持部を一体で設ける。リングやブラケットを、グリップの延長方向との交差部位以外のハウジング上部に設ける。本発明を、インパクトレンチ以外の動力工具、あるいは電動以外のエア駆動やエンジン駆動等の動力工具に適用する。
【００１９】
ブラケットに板バネを含ませ、当該板バネにより起立状態のリングを保持する。即ち、起立状態のリングが倒れようとすると、板バネの弾性力が作用してリングを倒伏させる力に所定程度まで抗するように板バネを配置し、当該所定程度以上の倒伏させる力が加わると、リングの倒伏を許すようにする。板バネの代わりに、あるいは板バネと共に、他の弾性体あるいはその組合せにより、起立状態のリングを保持する。
【符号の説明】
【００２０】
１・・インパクトレンチ、２・・ハウジング、２ａ・・グリップ、４・・リング、６・・ブラケット、１０・・吊下げ具、１２・・ネジ、１４・・凹部、１６・・弾性体、１８・・ベース。
【図１】
2013059837.tif 000003
【図２】
2013059837.tif 000004
【図３】
2013059837.tif 000005